(57)【要約】【課題】利便性良好に入力端子の選択を行う。【解決手段】デジタル放送受信機のＭＰＵ１１は、リモコン３を介してユーザからの操作入力を受け付けて、受け付けられた操作入力に基づいて、２以上の予め設定された所定数の入力端子１９の中から１の入力端子を映像情報が入力される端子である映像入力端子として選択する端子選択部１１１と、映像入力端子として選択された１の入力端子１９に接続された外部機器４から映像情報が入力されているか否かを判定する入力判定部１１２と、映像情報が入力されていないと判定された場合に、映像入力端子として選択された１の入力端子１９の配設位置を識別可能にディスプレイ２１に表示する表示制御部１１３と、を備えている。【選択図】図３
2009005126.tif 000002
【特許請求の範囲】
【請求項１】
２以上の予め設定された所定数の入力端子を備え、該所定数の入力端子の中から選択された１の入力端子を介して外部機器から入力された映像情報をモニタに出力可能に構成された映像受信装置であって、
外部からの操作入力を受け付けて、受け付けられた操作入力に基づいて、前記所定数の入力端子の中から１の入力端子を映像情報が入力される端子である映像入力端子として選択する端子選択手段と、
前記端子選択手段によって映像入力端子として選択された１の入力端子に接続された外部機器から映像情報が入力されているか否かを判定する入力判定手段と、
前記入力判定手段によって映像情報が入力されていないと判定された場合に、映像入力端子として選択された１の入力端子の配設位置を識別可能に前記モニタに表示する表示制御手段と、
を備えることを特徴とする映像受信装置。
【請求項２】
前記表示制御手段は、前記入力判定手段によって映像情報が入力されていないと判定された場合に、前記端子選択手段によって映像入力端子として選択された１の入力端子を識別する名称である識別名称情報を前記モニタに表示することを特徴とする請求項１に記載の映像受信装置。
【請求項３】
前記所定数の入力端子の配設位置を視認可能な画像情報である端子位置画像情報を予め格納する端子画像記憶手段を備え、
前記表示制御手段は、前記入力判定手段によって映像情報が入力されていないと判定された場合に、前記端子画像記憶手段から端子位置画像情報を読み出して、前記モニタに表示することを特徴とする請求項１又は請求項２に記載の映像受信装置。
【請求項４】
請求項１〜請求項３のいずれかに記載の映像受信装置と、
テレビジョン放送を受信する放送受信手段と、
を備え、
前記放送受信手段を介して受信された映像情報、及び、前記映像受信装置の映像入力端子として選択された入力端子を介して外部機器から入力される映像情報の少なくとも一方をモニタに出力することを特徴とする放送受信装置。
【発明の詳細な説明】
【技術分野】
【０００１】
本発明は、２以上の予め設定された所定数の入力端子を備え、該所定数の入力端子の中から選択された１の入力端子を介して外部機器から入力された映像情報をモニタに出力可能に構成された映像受信装置に関する。また、テレビジョン放送を受信して、受信された映像情報をモニタに出力可能に構成された放送受信装置に関する。
【背景技術】
【０００２】
従来、２以上の予め設定された所定数の入力端子を備え、該所定数の入力端子の中から選択された１の入力端子を介して外部機器から入力された映像情報をモニタに出力可能に構成されたテレビジョンモニタ、ビデオデッキ、ＤＶＤレコーダ等の映像受信装置が普及している。これらの映像受信装置においては、ＡＶ機器の種類の増大に伴い、入力端子の個数が増加し、ユーザが複数の入力端子と、複数の入力端子にそれぞれ接続された外部機器との対応付けを記憶しておくことが困難になっている。
【０００３】
その結果、外部機器が接続されていない（又は、電源が投入されていない外部機器が接続されている）入力端子を、映像情報が入力される端子である映像入力端子として選択している場合に、外部機器から映像情報が入力されない（＝無信号状態となる）ために、ブルーバック、又はブラックバックの画像が表示されるが、ユーザは、その状態を外部機器が故障していると誤って判断してしまう場合がある。
【０００４】
上記課題を解消するために、種々の装置、方法が提案されている。例えば、外部入力端子毎に画像入力信号の有無を検知し、外部入力端子毎に音声入力信号の有無を検知し、入力切り換え操作時に、画像入力信号及び音声入力信号がともに無信号と判断した外部入力端子のみ、選択せずにスキップする外部入力切り換え方法が開示されている（特許文献１参照）。
【特許文献１】特開２００５−２１８００１号公報
【発明の開示】
【発明が解決しようとする課題】
【０００５】
しかしながら、上記外部入力切り換え方法では、ユーザが、電源が投入されていない外部機器が接続されている入力端子を、映像情報が入力される端子である映像入力端子として選択した場合に、選択せずにスキップされるため、ユーザは、映像入力端子として選択する前に、入力端子に接続された外部機器を予め映像情報が出力される状態としておく必要があり、利便性が充分ではない場合があった。
【０００６】
本発明は、上記課題に鑑みてなされたものであって、利便性良好に入力端子の選択を行うことの可能な映像受信装置及び放送受信装置を提供することを目的としている。
【課題を解決するための手段】
【０００７】
上記目的を達成するために請求項１に記載の映像受信装置は、２以上の予め設定された所定数の入力端子を備え、該所定数の入力端子の中から選択された１の入力端子を介して外部機器から入力された映像情報をモニタに出力可能に構成された映像受信装置であって、外部からの操作入力を受け付けて、受け付けられた操作入力に基づいて、前記所定数の入力端子の中から１の入力端子を映像情報が入力される端子である映像入力端子として選択する端子選択手段と、前記端子選択手段によって映像入力端子として選択された１の入力端子に接続された外部機器から映像情報が入力されているか否かを判定する入力判定手段と、前記入力判定手段によって映像情報が入力されていないと判定された場合に、映像入力端子として選択された１の入力端子の配設位置を識別可能に前記モニタに表示する表示制御手段と、を備えることを特徴としている。
【０００８】
請求項２に記載の映像受信装置は、請求項１に記載の映像受信装置であって、前記表示制御手段が、前記入力判定手段によって映像情報が入力されていないと判定された場合に、前記端子選択手段によって映像入力端子として選択された１の入力端子を識別する名称である識別名称情報を前記モニタに表示することを特徴としている。
【０００９】
請求項３に記載の映像受信装置は、請求項１又は請求項２に記載の映像受信装置であって、前記所定数の入力端子の配設位置を視認可能な画像情報である端子位置画像情報を予め格納する端子画像記憶手段を備え、前記表示制御手段が、前記入力判定手段によって映像情報が入力されていないと判定された場合に、前記端子画像記憶手段から端子位置画像情報を読み出して、前記モニタに表示することを特徴としている。
【００１０】
請求項４に記載の放送受信装置は、請求項１〜請求項３のいずれかに記載の映像受信装置と、テレビジョン放送を受信する放送受信手段と、を備え、前記放送受信手段を介して受信された映像情報、及び、前記映像受信装置の映像入力端子として選択された入力端子を介して外部機器から入力される映像情報の少なくとも一方をモニタに出力することを特徴としている。
【発明の効果】
【００１１】
請求項１に記載の映像受信装置によれば、外部からの操作入力が受け付けられて、受け付けられた操作入力に基づいて、予め設定された所定数の入力端子の中から１の入力端子が、映像情報が入力される端子である映像入力端子として選択され、映像入力端子として選択された１の入力端子に接続された外部機器から映像情報が入力されているか否かが判定され、映像情報が入力されていないと判定された場合に、映像入力端子として選択された１の入力端子の配設位置が識別可能にモニタに表示されるため、利便性良好に入力端子の選択を行うことができる。
【００１２】
すなわち、選択された１の入力端子に映像情報が入力されていないと判定された場合に、映像情報が入力される端子である映像入力端子として選択された１の入力端子の配設位置が識別可能にモニタに表示されるため、該１の入力端子に接続された外部機器が故障していると誤って判断してしまうことが防止されると共に、該１の入力端子の配設位置を視認することができ、該１の入力端子に外部機器が接続されているか等を容易に確認することができるので、利便性良好に入力端子の選択を行うことができるのである。
【００１３】
請求項２に記載の映像受信装置によれば、映像情報が入力されていないと判定された場合に、映像入力端子として選択された１の入力端子を識別する名称である識別名称情報がモニタに表示されるため、更に利便性良好に入力端子の選択を行うことができる。
【００１４】
すなわち、映像情報が入力されていないと判定された場合に、映像入力端子として選択された１の入力端子を識別する名称である識別名称情報がモニタに表示されるため、表示された識別名称情報によって映像入力端子として選択された１の入力端子を確認することができるので、更に利便性良好に入力端子の選択を行うことができるのである。
【００１５】
請求項３に記載の映像受信装置によれば、所定数の入力端子の配設位置を視認可能な画像情報である端子位置画像情報が端子画像記憶手段に予め格納されており、映像情報が入力されていないと判定された場合に、端子画像記憶手段から端子位置画像情報が読み出されてモニタに表示されるため、簡素な構成で利便性良好に入力端子の選択を行うことができる。
【００１６】
請求項４に記載の放送受信装置によれば、請求項１〜請求項３のいずれかに記載の映像受信装置を備えており、テレビジョン放送を介して受信された映像情報、及び、映像受信装置の映像入力端子として選択された入力端子を介して外部機器から入力される映像情報の少なくとも一方がモニタに出力されるため、利便性良好に入力端子の選択を行うことの可能な放送受信装置を実現することができる。
【発明を実施するための最良の形態】
【００１７】
以下に本発明の実施形態を、図面を参照しながら説明する。図１は、本発明に係るデジタル放送受信機の構成の一例を示すブロック図である。デジタル放送受信機１（映像受信装置、放送受信装置に相当する）は、出力装置２と通信可能に接続されると共に、リモートコントローラ（＝Ｒｅｍｏｔｅｃｏｎｔｒｏｌｌｅｒ：以下、「リモコン」という）３と赤外線通信を介して通信可能に接続されている。
【００１８】
デジタル放送受信機１は、リモコン３を介してユーザからの操作入力を受け付けて、受け付けた操作入力に基づいて、デジタル方式のテレビジョン放送を受信し、受信した映像情報をディスプレイ２１に表示すると共に、受信した音声情報をスピーカ２２に出力するものである。また、デジタル放送受信機１は、リモコン３を介してユーザからの操作入力を受け付けて、受け付けた操作入力に基づいて、入力端子１９を介して接続されたＤＶＤ（Ｄｉｇｉｔａｌ  Ｖｅｒｓａｔｉｌｅ  Ｄｉｓｋ）プレイヤ、パーソナルコンピュータ等の外部機器４から入力された映像情報をディスプレイ２１に表示すると共に、入力された音声情報をスピーカ２２に出力するものである。
【００１９】
出力装置２は、ディスプレイ２１及びスピーカ２２を備え、デジタル放送受信機１から入力された音声情報及び映像情報を出力するものである。ディスプレイ２１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、デジタル放送受信機１から入力された映像情報に対応する映像を外部から視認可能に表示するものである。スピーカ２２は、デジタル放送受信機１から入力された音声情報に対応する音声を出力するものである。
【００２０】
リモコン３（端子選択手段の一部に相当する）は、ユーザからの操作入力を受け付けて、受け付けられた操作入力に対応する赤外線信号を生成して、デジタル放送受信機１に対して出力するものである。
【００２１】
また、デジタル放送受信機１は、ＭＰＵ１１、ＲＡＭ１２、ＲＯＭ１３、操作部１４、受信部１５、音声出力部１６、ＭＰＥＧ２デコード部１７、画像出力部１８、及び、入力端子１９を備えている。
【００２２】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２３】
操作部１４は、電源のＯＮ、ＯＦＦ操作、選局、外部入力の選択（＝ディスプレイ２１等に出力する映像情報等を受信する入力端子１９の選択）等の各種操作を受け付けるものである。また、操作部１４は、赤外線通信を介して、リモコン３からの操作信号を受け付けて、各種操作を受け付けるものである。受信部１５（放送受信手段に相当する）は、テレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２４】
アンテナ部１５１は、テレビジョン放送波を受信するものである。チューナ部１５２は、アンテナ部１５１で受信されたテレビジョン放送波から、予め設定された（又は、リモコン３を介して受け付けられた）チャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００２５】
音声出力部１６は、受信部１５によって受信されたテレビジョン放送に対応する音声信号をスピーカ２２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ２２に対して出力するものである。
【００２６】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００２７】
画像出力部１８は、ＭＰＥＧ２デコード部１７によって復号化された映像信号をディスプレイ２１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ２１に対して出力するものである。
【００２８】
入力端子１９は、接続されたＤＶＤプレイヤ等の外部機器４との間で、ＭＰＵ１１からの指示に従って、外部機器４から映像情報及び音声情報を受信するものであって、ここでは、５個の入力端子１９１〜１９５を備える場合について説明する。
【００２９】
入力端子１９１は、外部機器４としてパーソナルコンピュータからの映像情報及び音声情報を受信するものであって、入力端子１９２、１９３は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に準拠した入力端子であって、外部機器４としてＤＶＤプレイヤ等からの映像情報及び音声情報を受信するものである。入力端子１９４、１９５は、一般的なビデオ入力端子であって、外部機器４としてビデオプレイヤ等からの映像情報及び音声情報を受信するものである。また、以下の説明では、各入力端子１９１〜１９５を区別して説明する場合を除き、入力端子１９と総称する。
【００３０】
図２は、入力端子１９（１９１〜１９５）の配設位置の一例を示すデジタル放送受信機１の背面図である。ここでは、デジタル放送受信機１が出力装置２と一体に構成されている場合について説明する。図に示すように、パーソナルコンピュータ用の入力端子１９１、ＨＤＭＩ規格に準拠した入力端子１９２、１９３は、デジタル放送受信機１の背面視右上部に配設され、一般的なビデオ入力端子１９４、１９５は、デジタル放送受信機１の背面視左下部に配設されている（図５参照）。
【００３１】
次に、図１に示すデジタル放送受信機１が放送を受信する場合の動作について説明する。まず、送信されてきたデジタル放送波がアンテナ部１５１で受信される。操作部１４（又はリモコン３）を介して選局操作が受け付けられた場合には、チューナ部１５２によって受信するトランスポンダ（Ｔｒａｎｓｐｏｎｄｅｒ）の切り換えが行われる。受信されたデジタル放送波は、Ａ／Ｄ変換部１５３によりデジタル情報に変換され、復調部１５４によって復調される。
【００３２】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ２２から音声が出力される。
【００３３】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ２１に映像が表示される。
【００３４】
図３は、本発明に係るデジタル放送受信機１における主要部の構成の一例を示すブロック図である。ＭＰＵ１１は、機能的に、端子選択部１１１、入力判定部１１２、及び、表示制御部１１３を備えている。また、ＲＡＭ１２は、機能的に、端子画像記憶部１２１を備えている。
【００３５】
ここでは、ＭＰＵ１１が、図１に示すＲＯＭ１３等に予め格納された制御プログラムを読み出して実行することにより、端子選択部１１１、入力判定部１１２、表示制御部１１３等の機能部として機能すると共に、ＲＡＭ１２を、端子画像記憶部１２１として機能させるものである。
【００３６】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ、半導体メモリ等である。
【００３７】
端子画像記憶部１２１（端子画像記憶手段に相当する）は、所定数（ここでは５個）の入力端子１９１〜１９５の配設位置を視認可能な画像情報である端子位置画像情報（図５参照）を予め格納するものである。また、端子画像記憶部１２１に格納された端子位置画像情報は、表示制御部１１３によって読み出されるものである。
【００３８】
端子選択部１１１（端子選択手段の一部に相当する）は、リモコン３を介してユーザからの操作入力を受け付けて、受け付けられた操作入力に基づいて、所定数（ここでは５個）の入力端子１９１〜１９５から入力される映像情報、及び、受信部１５を介して受信された映像情報の一方をディスプレイ２１に出力する映像情報として選択すると共に、リモコン３を介してユーザからの操作入力を受け付けて、受け付けられた操作入力に基づいて、５個の入力端子１９１〜１９５の中から１の入力端子を映像情報が入力される端子である映像入力端子として選択するものである。
【００３９】
入力判定部１１２（入力判定手段に相当する）は、端子選択部１１１によって、入力端子１９１〜１９５から入力される映像情報がディスプレイ２１に出力する映像情報として選択されている場合に、端子選択部１１１によって、ディスプレイ２１に出力する映像情報が入力される端子である映像入力端子として選択された１の入力端子１９（例えば、入力端子１９３）に接続された外部機器４（例えば、ＤＶＤプレイヤ）から映像情報、音声情報、及び、制御情報の内、少なくとも１つの情報が入力されているか否か（＝いわゆる、「無信号状態」であるか否か）を判定するものである。
【００４０】
表示制御部１１３（表示制御手段に相当する）は、入力判定部１１２によって映像情報、音声情報、及び、制御情報がいずれも入力されていない（＝無信号状態である）と判定された場合に、映像入力端子として選択された１の入力端子１９（例えば、入力端子１９３）の配設位置を識別可能にディスプレイ２１に表示するものである。
【００４１】
また、表示制御部１１３は、入力判定部１１２によって映像情報、音声情報、及び、制御情報がいずれも入力されていない（＝無信号状態である）と判定された場合に、端子選択部１１１によって映像入力端子として選択された１の入力端子（例えば、入力端子１９３）を識別する名称である識別名称情報（例えば、「ＨＤＭＩ１」との文字情報：図５参照）をディスプレイ２１に表示するものである。
【００４２】
更に、表示制御部１１３は、入力判定部１１２によって映像情報、音声情報、及び、制御情報がいずれも入力されていない（＝無信号状態である）と判定された場合に、端子画像記憶部１２１から端子位置画像情報を読み出してディスプレイ２１に表示するものである（図５参照）。
【００４３】
図４は、デジタル放送受信機１（主にＭＰＵ１１）の動作の一例を示すフローチャートである。なお、ここでは、予め端子画像記憶部１２１に５個の入力端子１９１〜１９５の配設位置を視認可能な画像情報である端子位置画像情報（図５参照）が格納されている場合について説明する。また、ここでは、便宜上、予め端子選択部１１１によって、５個の入力端子１９１〜１９５から入力される映像情報のいずれかをディスプレイ２１に出力する映像情報として選択する旨の設定が行われている場合について説明する。
【００４４】
まず、端子選択部１１１によって、リモコン３を介して５個の入力端子１９１〜１９５の中から１の入力端子が映像入力端子として選択されたか否かの判定が行われる（Ｓ１０１）。１の入力端子が選択されていないと判定された場合（Ｓ１０１でＮＯ）には、処理が待機状態とされる。１の入力端子が選択されたと判定された場合（Ｓ１０１でＹＥＳ）には、入力判定部１１２によって、ステップＳ１０１において選択された１の入力端子を介して映像情報、音声情報、及び、制御情報の内、少なくとも１つの情報が入力されているか否か（＝無信号状態であるか否か）の判定が行われる（Ｓ１０５）。
【００４５】
無信号状態ではないと判定された場合（Ｓ１０５でＹＥＳ）には、処理がステップＳ１０１に戻され、ステップＳ１０１以降の処理が繰り返し実行される。無信号状態であると判定された場合（Ｓ１０５でＮＯ）には、表示制御部１１３によって、端子画像記憶部１２１から端子位置画像情報が読み出される（Ｓ１０７）。そして、表示制御部１１３によって、ステップＳ１０７において読み出された端子位置画像情報、ステップＳ１０１において映像入力端子として選択された１の入力端子１９（例えば、入力端子１９３）の配設位置、及び、ステップＳ１０１において映像入力端子として選択された１の入力端子１９（例えば、入力端子１９３）を識別する名称である識別名称情報（例えば、「ＨＤＭＩ１」との文字情報）がディスプレイ２１に表示され（Ｓ１０９）、処理が終了される。
【００４６】
図５は、図４に示すフローチャートのステップＳ１０９においてディスプレイ２１に表示される無信号状態表示画面の一例を示す画面図である。無信号状態表示画面４００には、画面左上部に、全体表示部４０１が表示され、画面右上部に識別名称表示部４０２が表示されている。更に、無信号状態表示画面４００には、全体表示部４０１の右側に、第１端子位置表示部４０３が表示され、全体表示部４０１の下側に、第２端子位置表示部４０４が表示されている。
【００４７】
全体表示部４０１は、図２に示すデジタル放送受信機１の背面図を表示するものであり、識別名称表示部４０２は、端子選択部１１１によって映像入力端子として選択された１の入力端子（ここでは、入力端子１９３）を識別する名称である識別名称情報（ここでは、「ＨＤＭＩ１」との文字情報）を表示するものである。第１端子位置表示部４０３は、図２に示す入力端子１９１〜１９３の外観を表示するものであって、入力端子表示部４０３ａ〜４０３ｃが表示されている。入力端子表示部４０３ａは、パーソナルコンピュータ用の入力端子１９１の外観を表示するものであり、入力端子表示部４０３ｂ、４０３ｃは、それぞれ、ＨＤＭＩ規格に準拠した入力端子１９２、１９３の外観を表示するものである。
【００４８】
更に、入力端子表示部４０３ｃの右側には、無信号状態表示部４０５が表示されている。無信号状態表示部４０５は、入力端子表示部４０３ｃに対応する入力端子１９（ここでは、入力端子１９３）に、外部機器４（例えば、ＤＶＤプレイヤ）から映像情報、音声情報、及び、制御情報が入力されていない（＝「無信号状態」である）旨の情報（ここでは、「信号なし」との文字情報）を表示するものである。
【００４９】
第２端子位置表示部４０４は、図２に示す入力端子１９４、１９５の外観を表示するものであって、入力端子表示部４０４ａ、４０４ｂが表示されている。入力端子表示部４０４ａ、４０４ｂは、それぞれ、一般的なビデオ入力端子１９４、１９５の外観を表示するものである。
【００５０】
このようにして、リモコン３を介してユーザからの操作入力が受け付けられて、受け付けられた操作入力に基づいて、予め設定された所定数（ここでは、５個）の入力端子１９１〜１９５の中から１の入力端子１９（ここでは、入力端子１９３）が、映像情報が入力される端子である映像入力端子として選択され、映像入力端子として選択された１の入力端子１９（ここでは、入力端子１９３）に接続された外部機器４（例えば、ＤＶＤプレイヤ）から映像情報が入力されているか否かが判定され、映像情報が入力されていないと判定された場合に、映像入力端子として選択された１の入力端子１９（ここでは、入力端子１９３）の配設位置が識別可能にディスプレイ２１に表示されるため、利便性良好に入力端子１９の選択を行うことができる。
【００５１】
すなわち、選択された１の入力端子１９（ここでは、入力端子１９３）に映像情報が入力されていないと判定された場合に、映像情報が入力される端子である映像入力端子として選択された１の入力端子１９（ここでは、入力端子１９３）の配設位置が識別可能にディスプレイ２１に表示されるため、この入力端子１９（ここでは、入力端子１９３）に接続された外部機器４（ここでは、外部機器４３：例えば、ＤＶＤプレイヤ）が故障していると誤って判断してしまうことが防止されると共に、この入力端子１９（ここでは、入力端子１９３）の配設位置を視認することができ、この入力端子に外部機器４（ここでは、外部機器４３：例えば、ＤＶＤプレイヤ）が接続されているか等を容易に確認することができるので、利便性良好に入力端子の選択を行うことができるのである。
【００５２】
また、映像情報が入力されていないと判定された場合に、映像入力端子として選択された１の入力端子１９（ここでは、入力端子１９３）を識別する名称である識別名称情報（ここでは、「ＨＤＭＩ１」との文字情報）がディスプレイ２１に表示されるため、更に利便性良好に入力端子１９の選択を行うことができる。
【００５３】
すなわち、映像情報が入力されていないと判定された場合に、映像入力端子として選択された１の入力端子１９（ここでは、入力端子１９３）を識別する名称である識別名称情報（ここでは、「ＨＤＭＩ１」との文字情報）がディスプレイ２１に表示されるため、表示された識別名称情報によって映像入力端子として選択された１の入力端子１９（ここでは、入力端子１９３）を確認することができるので、更に利便性良好に入力端子１９の選択を行うことができるのである。
【００５４】
更に、所定数（ここでは、５個）の入力端子１９１〜１９５の配設位置を視認可能な画像情報である端子位置画像情報が端子画像記憶部１２１に予め格納されており、映像情報が入力されていないと判定された場合に、端子画像記憶部１２１から端子位置画像情報が読み出されてディスプレイ２１に表示されるため、簡素な構成で利便性良好に入力端子１９の選択を行うことができる。
【００５５】
なお、本発明は、以下の形態にも適用可能である。
（Ａ）本実施形態では、放送受信装置が、デジタル放送受信機１である場合について説明したが、映像受信装置が、テレビジョン放送を受信し、受信された映像情報、及び、映像入力端子として選択された入力端子１９を介して外部機器４から入力される映像情報の少なくとも一方をディスプレイ２１に出力する装置であればよい。例えば、映像受信装置が、アナログ放送を受信する形態でもよい。
【００５６】
（Ｂ）本実施形態では、映像受信装置が、デジタル放送受信機１である場合について説明したが、映像受信装置が、２以上の予め設定された所定数の入力端子を備え、該所定数の入力端子の中から選択された１の入力端子を介して外部機器４から入力された映像情報をディスプレイ２１に出力可能に構成された装置であればよい。例えば、映像受信装置が、ディスプレイ２１に接続されたＤＶＤプレイヤ等である形態でもよいし、ディスプレイ２１に接続されたパーソナルコンピュータ等である形態でもよい。
【００５７】
（Ｃ）本実施形態では、入力端子１９が５個の入力端子１９１〜１９５から構成されている場合について説明したが、入力端子１９が２以上の予め設定された所定数の入力端子から構成されている形態であればよい。例えば、入力端子１９が２個の入力端子から構成されている形態でもよい。
【００５８】
（Ｄ）本実施形態では、ＭＰＵ１１が、機能的に、端子選択部１１１、入力判定部１１２、表示制御部１１３等を備えている場合について説明したが、端子選択部１１１、入力判定部１１２、及び、表示制御部１１３の内、少なくとも１の機能部が回路等のハードウェアによって実現されている形態でもよい。
【図面の簡単な説明】
【００５９】
【図１】は、本発明に係るデジタル放送受信機の構成の一例を示すブロック図である。
【図２】は、入力端子の配設位置の一例を示すデジタル放送受信機の背面図である。
【図３】は、本発明に係るデジタル放送受信機における主要部の構成の一例を示すブロック図である。
【図４】は、デジタル放送受信機（主にＭＰＵ）の動作の一例を示すフローチャートである。
【図５】は、図４に示すフローチャートのステップＳ１０９においてディスプレイに表示される無信号状態表示画面の一例を示す画面図である。
【符号の説明】
【００６０】
１    デジタル放送受信機（映像受信装置、放送受信装置）
１１    ＭＰＵ
１１１    端子選択部（端子選択手段の一部）
１１２    入力判定部（入力判定手段）
１１３    表示制御部（表示制御手段）
１２    ＲＡＭ
１２１    端子画像記憶部（端子画像記憶手段）
１９（１９１〜１９５）    入力端子
２    出力装置
２１    ディスプレイ（モニタ）
２２    スピーカ
３    リモコン（端子選択手段の一部）
４（４１〜４５）    外部機器
【図１】
2009005126.tif 000003
【図２】
2009005126.tif 000004
【図３】
2009005126.tif 000005
【図４】
2009005126.tif 000006
【図５】
2009005126.tif 000007